(57)【要約】【課題】本発明は、調理用の各スイッチの押圧作動部に対応して、本体部の上面部に上方へ膨出した押圧用エンボス部にてスイッチ操作部を形成した表面シートが貼付された加熱調理器において、この表面シートの裏側へ煮汁等が侵入しても、スイッチ等の支障とならないようにする技術を提供する。【解決手段】本体部内に配置したスイッチの作動部に対応する位置に上方へ膨出した押圧用エンボス部にてスイッチ操作部を形成した表面シートが、本体部の上面部に貼付された加熱調理器において、スイッチを備えた操作基板を収納する操作ケースが本体部の上面部の下面に配置され、操作ケースの上壁には本体部の上面部に形成したスイッチ操作孔に嵌り合う台座部とこの台座部内にスイッチ操作孔に非接触状態で上下動可能なキートップを備え、操作ケースの上壁の上面には台座部よりも低い位置に台座部を取り囲むように受液溝を形成したこと。【選択図】図５
2011190946.tif 000002
【特許請求の範囲】
【請求項１】
本体部内に配置したスイッチの作動部に対応する位置に上方へ膨出した押圧用エンボス
部にてスイッチ操作部を形成した表面シートが、前記本体部の上面部に貼付された加熱調
理器において、前記スイッチを備えた操作基板を収納する操作ケースが前記本体部の上面
部の下面に配置され、前記操作ケースの上壁には前記本体部の上面部に形成したスイッチ
操作孔に嵌り合う台座部とこの台座部内に前記スイッチ操作孔に非接触状態で上下動可能
なキートップを備え、前記操作ケースの上壁の上面には前記台座部よりも低い位置に前記
台座部を取り囲むように受液溝を形成したことを特徴とする加熱調理器。
【請求項２】
本体部内に配置したスイッチの作動部に対応する位置に上方へ膨出した押圧用エンボス
部にてスイッチ操作部を形成した表面シートが、前記本体部の上面部に貼付された加熱調
理器において、前記スイッチ及び前記スイッチの操作に基づき発光・非発光となるＬＥＤ
を備えた操作基板を収納する操作ケースが前記本体部の上面部の下面に配置され、前記操
作ケースの上壁には前記本体部の上面部に形成したスイッチ操作孔に嵌り合う台座部とこ
の台座部内に前記スイッチ操作孔に非接触状態で上下動可能なキートップと前記ＬＥＤの
光を上方へ透過する光透過孔を備え、前記操作ケースの上壁の上面には、前記光透過孔と
の間に隔壁を存して前記台座部よりも低い位置に前記台座部を取り囲むように受液溝を形
成したことを特徴とする加熱調理器。
【請求項３】
前記操作ケースが前記本体部の上面部の下面に配置された状態で、前記台座部が前記ス
イッチ操作孔を通して前記本体部の上面部と同等レベルであると共に、前記キートップが
前記本体部の上面部より高い位置にて前記スイッチ操作部の下面に当接または近接するこ
とを特徴とする請求項１または２に記載の加熱調理器。
【発明の詳細な説明】
【技術分野】
【０００１】
本発明は、本体部の上面部に調理用のスイッチ操作部を備えた加熱調理器に関し、特に
、調理用スイッチに対応して、本体部の上面部にスイッチ操作部を形成した表面シートが
貼付されたものにおいて、この表面シートの裏側へ煮汁等が侵入しても、スイッチ等の電
気回路への支障とならないようにする技術に関する。
【背景技術】
【０００２】
トッププレート枠の前面側に設けた開口部の上面にボタンエンボス部を形成した操作表
示シートを接着剤により貼り付け、開口部の下面にキートップや制御回路基板を納めた操
作部ユニットを配置しており、操作表示シートに、掃除する際や湯沸し時、煮炊き調理時
に水や吹きこぼれた湯，鍋から溢れ出た煮汁等が掛かった場合に、操作表示シートの接着
剤が、開口部を通してその下面の制御回路基板の電子部品に水が浸入するのを防止する役
目をしているが、その防水役である接着剤が使用環境や使用寿命、さらには操作表示シー
トの貼付け時のばらつき等により開口部の周囲のプレート枠に完全に密着させることが難
しく、不完全接着部分が生じたり局部的に剥がれてしまう場合がある。この問題を解決す
るためには、プレート枠に操作表示シートを接着する接着剤の接着力をアップさせればよ
いが、接着力をアップさせて完全密封の防水性能を得ることには限界があり、操作表示ユ
ニットに外部からの水や湯，鍋から溢れ出た煮汁等、液体の浸入を防止することは極めて
難しかった。
【０００３】
このような点に鑑みたものとして、本体上面に配置されたトッププレートと、該トップ
プレートの周囲を囲むトッププレート枠と、該トッププレート枠の上面に貼付けられた複
数個の操作エンボス部を有する操作表示シートと、該操作表示シートと対向するようにト
ッププレート枠の下部に配置された操作表示駆動部を備えた加熱調理器において、前記ト
ッププレート枠の前記操作エンボス部と対向する位置に開口部を設け、該開口部の下面で
前記操作表示駆動部の上面に該操作表示駆動部の上面を覆うようにゴム系材料からなる防
水カバーを配置したものがある（特許文献１参照）。
【０００４】
この特許文献１のものは、操作表示駆動部１５の上面を覆うように、新たにゴム系材料
からなる防水カバー２３を配置したものである。この防水カバー２３は、透明または半透
明のものが用いられ、周囲及び縦横に補強用のリブ２３ａが施され、前記操作表示シート
１２の操作エンボス部１２ａと対向するトッププレート枠６の開口部直下に突起部２３ｂ
を設け、左右に二分割された操作表示駆動部１５の駆動部基板１７を別々にその上面から
覆うように配置されている。
【０００５】
この防水カバー２３は、操作表示駆動部１５に表示灯１８ａや液晶表示器１８ｂ、操作
入力ボタン２２、配線カードケーブル／コネクタ１９、配線部品／コネクタ２０等の配線
部材を組み込み、配線部材を配線用穴２１を通して駆動部収納ケース１６の底部から下側
に出し、誘導加熱コイル等の各種部品に配線した後、二分割された駆動部基板１７を上か
ら蓋をするように配置している。
【先行技術文献】
【特許文献】
【０００６】
【特許文献１】特開２００８−２４１０８７号公報
【発明の概要】
【発明が解決しようとする課題】
【０００７】
このように、特許文献１のものでは、防水カバー２３が必要であること。そして、この
防水カバー２３がゴム系材料からなるため、補強用のリブ２３ａや、操作入力ボタン２２
に対応して操作表示シート１２の操作エンボス部１２ａと対向する突起部２３ｂが必要と
なり、形状自体を複雑な形状に形成する必要がある。
【０００８】
本発明は、このような防水カバーを設けることなく、表面シートの裏側へ煮汁等が侵入
しても、スイッチ等の電気回路への支障とならないようにする技術を提供するものである
。
【課題を解決するための手段】
【０００９】
第１発明は、本体部内に配置したスイッチの作動部に対応する位置に上方へ膨出した押
圧用エンボス部にてスイッチ操作部を形成した表面シートが、前記本体部の上面部に貼付
された加熱調理器において、前記スイッチを備えた操作基板を収納する操作ケースが前記
本体部の上面部の下面に配置され、前記操作ケースの上壁には前記本体部の上面部に形成
したスイッチ操作孔に嵌り合う台座部とこの台座部内に前記スイッチ操作孔に非接触状態
で上下動可能なキートップを備え、前記操作ケースの上壁の上面には前記台座部よりも低
い位置に前記台座部を取り囲むように受液溝を形成したことを特徴とする。
【００１０】
第２発明は、本体部内に配置したスイッチの作動部に対応する位置に上方へ膨出した押
圧用エンボス部にてスイッチ操作部を形成した表面シートが、前記本体部の上面部に貼付
された加熱調理器において、前記スイッチ及び前記スイッチの操作に基づき発光・非発光
となるＬＥＤを備えた操作基板を収納する操作ケースが前記本体部の上面部の下面に配置
され、前記操作ケースの上壁には前記本体部の上面部に形成したスイッチ操作孔に嵌り合
う台座部とこの台座部内に前記スイッチ操作孔に非接触状態で上下動可能なキートップと
前記ＬＥＤの光を上方へ透過する光透過孔を備え、前記操作ケースの上壁の上面には、前
記光透過孔との間に隔壁を存して前記台座部よりも低い位置に前記台座部を取り囲むよう
に受液溝を形成したことを特徴とする。
【００１１】
第３発明は、第１発明または第２発明において、前記操作ケースが前記本体部の上面部
の下面に配置された状態で、前記台座部が前記スイッチ操作孔を通して前記本体部の上面
部と同等レベルであると共に、前記キートップが前記本体部の上面部より高い位置にて前
記スイッチ操作部の下面に当接または近接することを特徴とする。
【発明の効果】
【００１２】
本発明では、操作ケースの上壁に、本体部の上面部に形成したスイッチ操作孔に嵌り合
う台座部と、この台座部内にスイッチ操作孔に非接触状態で上下動可能なキートップを備
え、操作ケースの上壁の上面に、台座部を取り囲む受液溝を形成したため、表面シートの
端部から表面シートの裏側へ侵入した煮汁などの液体は、受液溝に流入し、キートップか
ら下方のスイッチや操作基板に流下することがない。このため、従来のように防水カバー
を設ける必要がなくなる。
【００１３】
また、スイッチの操作に基づき発光・非発光となるＬＥＤを備えた場合、操作ケースの
上壁に、本体部の上面部に形成したスイッチ操作孔に嵌り合う台座部と、この台座部内に
スイッチ操作孔に非接触状態で上下動可能なキートップと、ＬＥＤの光を上方へ透過する
光透過孔を備え、操作ケースの上壁の上面に、光透過孔との間に隔壁を存して台座部を取
り囲むように受液溝を形成したため、表面シートの端部から表面シートの裏側へ侵入した
煮汁などの液体は、受液溝に流入し、キートップから下方のスイッチや操作基板に流下す
ることがなく、且つ、ＬＥＤ及びそれに係る電気回路へ煮汁などの液体が流下することも
ない。このため、従来のように防水カバーを設ける必要がなくなる。
【図面の簡単な説明】
【００１４】
【図１】本発明に係る加熱調理器を台所設備台に組み込んだ部分の平面図である。
【図２】本発明に係る加熱調理器を台所設備台に組み込んだ部分の正面図である。
【図３】本発明に係る加熱調理器のスイッチ操作部を形成した表面シートを取り外した状態の斜視図である。
【図４】本発明に係る加熱調理器のスイッチ操作部を形成した表面シート及び天板を取り外した状態の平面図である。
【図５】図４のＡ−Ａ部分に相当する拡大断面図である。
【図６】本発明に係る加熱調理器の操作ケースと本体部の上面部との関係を示す斜視図である。
【図７】本発明に係る加熱調理器の操作ケースに形成したキートップ部分の斜視図である。
【発明を実施するための形態】
【００１５】
本発明では、本体部内に配置したスイッチの作動部に対応する位置に上方へ膨出した押
圧用エンボス部にてスイッチ操作部を形成した表面シートが、前記本体部の上面部に貼付
された加熱調理器において、前記スイッチを備えた操作基板を収納する操作ケースが前記
本体部の上面部の下面に配置され、前記操作ケースの上壁には前記本体部の上面部に形成
したスイッチ操作孔に嵌り合う台座部とこの台座部内に前記スイッチ操作孔に非接触状態
で上下動可能なキートップを備え、前記操作ケースの上壁の上面には前記台座部よりも低
い位置に前記台座部を取り囲むように受液溝を形成した構成である。
【００１６】
本発明は、加熱調理器としての加熱部が、例えば、２個の誘導加熱コイルである場合、
或いは誘導加熱コイルとラジエントヒータの組み合わせである場合のように、調理用の加
熱部が複数である場合であり、以下に示す実施例では、加熱部が、誘導加熱コイルとラジ
エントヒータの組み合わせである場合について記載するものとする。
【実施例１】
【００１７】
以下、本発明の実施例として、一つの誘導加熱コイル４と一つのラジエントヒータ５を
備えた加熱調理器１の実施形態について、添付図面を参照して詳細に説明する。図１及び
図２は、本発明の第１実施形態に係る加熱調理器１が台所設備台７に取り付けられる状態
を示す図である。加熱調理器１は、システムキッチンや、調理台や流し台のような台所設
備台７に、ドロップイン方式によって組み込まれる形態であり、図１乃至図４に示すよう
に、略矩形状ケースを形成した本体部２と、本体部２の上面部に取り付けた天板枠６によ
って支持された耐熱ガラス製の天板３を備え、本体部２の内部には、天板３に対応してそ
の下方空間に前後に間隔を保って設置された熱源となる誘導加熱コイル４及びラジエント
ヒータ５を備えている。
【００１８】
図３に示すように、本体部２は、底壁２Ａと周囲四方を囲むよう底壁２Ａに取り付けた
側壁２Ｂによって上面開口の略矩形状ケースを形成している。また、耐熱ガラス製の天板
３は、本体部２の上面開口を覆うように側壁２Ｂにネジにて取り付けた天板枠６によって
、周縁部が支持された状態である。
【００１９】
誘導加熱コイル４は、合成樹脂製の支持枠４Ａの上面に取り付けられ、支持枠４Ａの周
縁フランジが耐熱ガラス製の天板３の下面へ当接するように、コイルバネによって上方へ
付勢される状態で立設する複数の支柱に支持されている。
【００２０】
また、ラジエントヒータ５は、上面開口の耐熱性の支持枠５Ａ内に取り付けられ、支持枠
５Ａの周縁上面が耐熱ガラス製の天板３の下面へ当接するように、コイルバネによって上
方へ付勢される状態で立設する複数の支柱に支持されている。
【００２１】
誘導加熱コイル４及びラジエントヒータ５にそれぞれ対応する天板３には、鍋等の調理
容器を載置する場所を明示するために、円形状の調理容器載置部８及び９が印刷などによ
って表示されている。
【００２２】
図示の台所設備台７は流し台７の形態で示しており、シンクと横並びに加熱調理器１の
本体部２が落とし込まれる挿入孔が、台所設備台７（流し台７）の上面板７Ａを貫通形成
されている。この挿入孔に本体部２を落とし込む、所謂ドロップイン方式によって、挿入
孔の周縁の上面板７Ａに天板枠６の下側が係止する状態に保持される。この保持状態で、
加熱調理器１は、本体部２をボルトネジやその他の手段によって、外れないように台所設
備台７（流し台７）に固定される。
【００２３】
本体部２内には、誘導加熱コイル４及びラジエントヒータ５の通電制御回路（図示せず
）の冷却のために、誘導加熱コイル４の下方に冷却用ファン（図示せず）が配置されてい
る。この冷却用ファンの送風によって各部が冷却された後の空気は、天板３の下面に沿っ
て横方向へ流れてラジエントヒータ５を冷却した後、本体部２の側壁２Ｂの一部である背
壁に沿って上方へ流れ、多数の排気孔１７を通過して放出される。
【００２４】
加熱調理器１は、天板３の手前側（前側）で天板枠６の前部に上面配置となるように、
誘導加熱コイル４及びラジエントヒータ５の通電制御や発熱制御等を行うためのスイッチ
操作部１３を備えた操作部１５を備えている。本体部２の上面部６Ｔの下面に、合成樹脂
製の操作ケース４１の上壁がネジ等の取り付けにて配置され、本体部２内には、操作部１
５の下方に、操作基板４０が操作ケース４１内にネジにて、略水平状態に取り付けられて
収納されている。操作基板４０の上面には、スイッチ操作部１３に対応して、誘導加熱コ
イル４及びラジエントヒータ５の通電制御や発熱制御等を行うための複数の調理用等のス
イッチ４２と、ＬＥＤ表示部１４に対応して、各スイッチ４２のＯＮ―ＯＦＦ操作に基づ
き発光・非発光となるＬＥＤ４４が取り付けられている。ＬＥＤ表示部１４は、ＬＥＤ４
４の光が天板３の前部を透過する部分を意味する。操作ケース４１は、上壁４１Ａと周囲
を取り囲む側壁４１Ｂとによって下面が開放した有底筐体状である。
【００２５】
各スイッチ４２には、ＯＮ―ＯＦＦ用作動部４３が上部に設けられ、操作ケース４１の
上壁４１Ａには、各スイッチ４２の作動部４３に対応して、それぞれ上下動自在な可動部
であるキートップ４６が形成されている。キートップ４６は、図６及び図７に示すように
、操作ケース４１の上壁４１Ａと一体成形した左右一対の弾性部４６Ｐに連結状態に一体
成形され、弾性部４６Ｐによって、上下動可能に支持されている。また、操作ケース４１
の上壁４１Ａには、各ＬＥＤ４４に対応して、ＬＥＤ４４の光が上方へ透過する光透過孔
４７が形成されている。
【００２６】
スイッチ４２は、機能上関連するスイッチ４２を一つの組として横並びに隣接配置して
おり、図に示す形態では、第１の組は、左側の３個の隣接配置のキートップ４６（図６で
括弧内に４６Ａとして示すもの）に対応するスイッチ４２の組であり、第２の組は、その
右側に離れて４個の隣接配置のキートップ４６（図６で括弧内に４６Ｂとして示すもの）
に対応するスイッチ４２の組であり、更に第３の組は、その右側に離れて１個の隣接配置
のキートップ４６（図６で括弧内に４６Ｃとして示すもの）に対応するスイッチ４２の組
として構成している。また、第４の組は、左端に２個の隣接配置のキートップ４６（図６
で括弧内に４６Ｄとして示すもの）に対応するスイッチ４２の組として構成している。
【００２７】
操作基板４０が操作ケース４１に取り付けられた状態において、各スイッチ４２の作動
部４３が各キートップ４６の下面に当接または近接状態となる。実施例では、各スイッチ
４２の作動部４３の上面とキートップ４６の下面とは、０．３ｍｍの隙間を存して対峙し
ている。
【００２８】
操作ケース４１の上面には、第１の組の３個のスイッチ４２に対応する３個のキートッ
プ４６（図６  で括弧内に示すキートップ４６Ａ）が配置される部分を若干上方へ膨出形
成した第１の台座部４９Ａを形成し、また、第２の組の４個のスイッチ４２に対応する４
個のキートップ４６（図６で括弧内に示すキートップ４６Ｂ）が配置される部分を若干上
方へ膨出形成した第２の台座部４９Ｂを形成し、また、第３の組の１個のスイッチ４２に
対応する１個のキートップ４６（図６で括弧内に示すキートップ４６Ｃ）が配置される部
分を若干上方へ膨出形成した第３の台座部４９Ｃを形成し、更に、第４の組の２個のスイ
ッチ４２に対応する２個のキートップ４６（図６で括弧内に示すキートップ４６Ｄ）が配
置される部分を若干上方へ膨出形成した第４の台座部４９Ｄを形成している。
【００２９】
図に示す実施例では、第１の組の３個のスイッチ４２（図６で括弧内に示すキートップ
４６Ａに対応するもの）は、ラジエントヒータ５の通電ＯＮ−ＯＦＦする１個のスイッチ
と、ラジエントヒータ５の発熱をアップ及びダウンさせるための２個のスイッチで構成し
ている。また、第２の組の４個のスイッチ４２（図６で括弧内に示すキートップ４６Ｂに
対応するもの）は、誘導加熱コイル４の通電ＯＮ−ＯＦＦする１個のスイッチと、誘導加
熱コイル４の発熱を強・中・弱を選択するための３個のスイッチで構成している。また、
第３の組の１個のスイッチ４２（図６で括弧内に示すキートップ４６Ｃに対応するもの）
は、加熱調理器１の電源のＯＮ−ＯＦＦスイッチである。更に、第４の組の２個のスイッ
チ４２（図６で括弧内に示すキートップ４６Ｄに対応するもの）は、加熱調理器１の上方
に設置した換気扇（図示せず）のＯＮ−ＯＦＦスイッチと、加熱調理器１の上面を照らす
照明灯のＯＮ−ＯＦＦスイッチである。
【００３０】
スイッチ操作部１３は、天板枠６の前部上面、即ち、本体部の上面部６Ｔに貼付される
合成樹脂製の表面シート６０に形成されており、各キートップ４６Ａ、４６Ｂ、４６Ｃ、
４６Ｄに対応するように、上下方向に撓む押圧用エンボス部として上方へ膨出形成されて
いる。スイッチ操作部１３は、文字や図柄等によって操作部を目視可能に表示している。
スイッチ操作部１３は、各キートップ４６Ａ、４６Ｂ、４６Ｃ、４６Ｄの上面よりも上方
へ若干湾曲状に膨出した形状に成形されたものであってもよい。
【００３１】
操作部１５に対応して、本体部の上面部に相当する天板枠６には、各台座部４９Ａ、４
９Ｂ、４９Ｃ、４９Ｄがそれぞれ嵌り合うスイッチ操作孔４５Ａ、４５Ｂ、４５Ｃ、４５
Ｄが形成され、各台座部は各スイッチ操作孔に嵌り合う関係である。
【００３２】
即ち、第１の台座部４９Ａは、第１のスイッチ操作孔４５（図６で括弧内に４５Ａとし
て示すもの）に嵌り合う関係であり、四角形状の第１の台座部４９Ａの四辺が、四角形状
の第１のスイッチ操作孔４５Ａに若干の融通性をもつ状態で嵌り合う関係である。この状
態は、図５に示す。これと同様に、第２の台座部４９Ｂは、第２のスイッチ操作孔４５（
図６で括弧内に４５Ｂとして示すもの）に嵌り合う関係であり、四角形状の第２の台座部
４９Ｂの四辺が、四角形状の第２のスイッチ操作孔４５Ｂに若干の融通性をもつ状態で嵌
り合う関係である。また、第３の台座部４９Ｃは、第３のスイッチ操作孔４５（図６で括
弧内に４５Ｃとして示すもの）に嵌り合う関係であり、四角形状の第３の台座部４９Ｃの
四辺が、四角形状の第３のスイッチ操作孔４５Ｃに若干の融通性をもつ状態で嵌り合う関
係である。また、第４の台座部４９Ｄは、第４のスイッチ操作孔４５（図６で括弧内に４
５Ｄとして示すもの）に嵌り合う関係であり、四角形状の第４の台座部４９Ｄの四辺が、
四角形状の第４のスイッチ操作孔４５Ｄに若干の融通性をもつ状態で嵌り合う関係である
。
【００３３】
操作ケース４１の上壁４１Ａの上面には、図５に示すように、操作ケース４１が本体部
２の上面部６Ｔの下面に取り付けられた状態で、本体部２の上面部６Ｔの下面に当接する
平坦な取り付け面５２を形成している。各台座部４９Ａ、４９Ｂ、４９Ｃ、４９Ｄは、こ
の取り付け面５２内に配置され、取り付け面５２よりも高く形成されており、その高さは
、操作ケース４１が取り付けられる部分の本体部２の上面部６Ｔの板の厚さと同等である
。また、各キートップ４６Ａ、４６Ｂ、４６Ｃ、４６Ｄは、各台座部４９Ａ、４９Ｂ、４
９Ｃ、４９Ｄよりも若干高く形成されている。
【００３４】
これによって、図５に示すように、操作基板４０を取り付けた操作ケース４１が、本体
部２の上面部６Ｔの下面に取り付けられた状態で、各台座部４９Ａ、４９Ｂ、４９Ｃ、４
９Ｄが、それぞれ対応するスイッチ操作孔４５Ａ、４５Ｂ、４５Ｃ、４５Ｄに嵌り合い、
各台座部４９Ａ、４９Ｂ、４９Ｃ、４９Ｄの上面は、本体部２の上面部６Ｔの上面と同等
レベルとなる。このため、本体部２の上面部６Ｔの上面から各台座部４９Ａ、４９Ｂ、４
９Ｃ、４９Ｄに亘って貼着される表面シート６０は、平坦に貼着される状態となる。また
、操作ケース４１が本体部２の上面部６Ｔの下面に取り付けられた状態で、各キートップ
４６Ａ、４６Ｂ、４６Ｃ、４６Ｄの上面は、本体部２の上面部６Ｔより若干高い位置とな
り、その状態で、各キートップ４６Ａ、４６Ｂ、４６Ｃ、４６Ｄの上面は、対応する表面
シート６０のスイッチ操作部１３の裏側に当接または近接する。この状態で、キートップ
４６はスイッチ操作孔４５に非接触状態で上下動可能であり、スイッチ操作部１３の押圧
にて対応するキートップ４６が押圧され、それによって作動部４３が押圧されてスイッチ
４２が作動する。
【００３５】
図５に示すように、操作ケース４１が本体部２の上面部６Ｔの下面に取り付けられた状
態で、各ＬＥＤ４４の光は、対応する各光透過孔４７を通して、天板３を透過する光が天
板３の上面のＬＥＤ表示部１４から目視できる状態となる。
【００３６】
操作ケース４１の上壁４１Ａの上面には、各台座部４９Ａ、４９Ｂ、４９Ｃ、４９Ｄの
上面よりも低い位置に、隔壁５１（図示の５１Ａ及び５１Ｂ）によって各台座部４９Ａ、
４９Ｂ、４９Ｃ、４９Ｄを取り囲むように、受液溝５０を形成している。実施例の構造で
は、図１及び図５に示すように、各台座部４９Ａ、４９Ｂ、４９Ｃ、４９Ｄが配置された
取り付け面５２を取り囲むように、隔壁５１の一部分として隔壁５１Ａが巡らされ、取り
付け面５２と隔壁５１Ａとの間に、隔壁５１Ａで囲まれた受液溝５０Ａ（図５及び図６に
括弧内に記載）が形成されている。
【００３７】
また、実施例の構造では、図１及び図５に示すように、操作ケース４１が本体部２の上
面部６Ｔの下面に取り付けられた状態で、ＬＥＤ表示部１４が天板３の上面の一部分とな
るため、操作ケース４１のＬＥＤ４４対応の光透過孔４７の部分が、各台座部４９Ａ、４
９Ｂ、４９Ｃ、４９Ｄに対応する部分よりも一段低くなっている。このため、受液溝５０
は、上段の受液溝５０Ａ（図５及び図６に括弧内に記載）と段差部５３にて連続した下段
の受液溝５０Ｂ（図５及び図６に括弧内に記載）とによって構成されている。光透過孔４
７と受液溝５０Ｂの間は、隔壁５１の一部分として受液溝５０Ｂを取り囲む隔壁５１Ｂが
存在する。
【００３８】
図１及び図５に示すように、操作ケース４１が本体部２の上面部６Ｔの下面に取り付け
られた状態において、表面シート６０の端部から表面シート６０の裏側へ侵入した煮汁な
どの液体は、受液溝５０Ａに流入し、各キートップ４６Ａ、４６Ｂ、４６Ｃ、４６Ｄから
下方のスイッチ４２や操作基板４０に流下することがない。また、受液溝５０Ａに流入し
た煮汁などの液体のうち、下段の受液溝５０Ｂに流下したものは、受液溝５０Ｂを取り囲
む隔壁５１Ｂの左端部及びまたは右端部に形成した排液口５４から操作ケース４１の側壁
４１Ｂを伝って下方へ排出される。このため、スイッチ４２や操作基板４０に流下するこ
とがなく、また、ＬＥＤ４４及びそれに係る操作基板４０の電気回路へ煮汁などの液体が
流下することもない。このため、従来のように防水カバーを設ける必要がなくなる。  
【産業上の利用可能性】
【００３９】
本発明に係る加熱調理器は、上記実施例に示した構成に限定されず、種々の形態のもの
に適用できるものであり、本発明の技術範囲において種々の形態を包含するものである。
【符号の説明】
【００４０】
１・・・・・加熱調理器
２・・・・・本体部
２Ａ・・・・本体部の底壁
３・・・・・天板
４・・・・・誘導加熱コイル
５・・・・・ラジェントヒータ
６・・・・・天板枠
６Ｔ・・・・天板枠の前部上面
７・・・・・台所設備台（流し台）
７Ａ・・・・上面板
８、９・・・調理容器載置部
１３・・・・操作スイッチ部
１４・・・・ＬＥＤ表示部
１５・・・・操作部
１６・・・・排気部
４０・・・・操作基板
４１・・・・操作ケース
４２・・・・スイッチ
４３・・・・スイッチの作動部
４４・・・・ＬＥＤ
４５・・・・スイッチ操作孔
４５Ａ、４５Ｂ、４５Ｃ、４５Ｄ・・・・スイッチ操作孔
４６・・・・キートップ
４６Ａ、４６Ｂ、４６Ｃ、４６Ｄ・・・・キートップ
４７・・・・光透過孔  
４８・・・・貫通孔
４９Ａ・・・第１の台座部
４９Ｂ・・・第２の台座部
４９Ｃ・・・第３の台座部
４９Ｄ・・・第４の台座部
５０・・・・受液溝
５０Ａ・・・上段の受液溝
５０Ｂ・・・下段の受液溝
５１・・・・隔壁
５１Ａ・・・上段の受液溝の隔壁
５１Ｂ・・・下段の受液溝の隔壁
５２・・・・操作ケースの取り付け面
５４・・・・排液口
６０・・・・表面シート
【図１】
2011190946.tif 000003
【図２】
2011190946.tif 000004
【図３】
2011190946.tif 000005
【図４】
2011190946.tif 000006
【図５】
2011190946.tif 000007
【図６】
2011190946.tif 000008
【図７】
2011190946.tif 000009